(57)【要約】【課題】大型化することなく、装着されるピント板に対応した、常に適正な露出を得ることができるカメラを提供する。【解決手段】当該カメラに装着されたピント板９での拡散光を測光する測光手段を有し、前記拡散光の測光結果に基づいて露出制御を行うカメラにおいて、測光手段が、前記拡散光を測光するための第１の測光領域１３ａと、ピント板の種類を判別するための第２の測光領域１３ｂとを有し、第２の測光領域にて得られるピント板の種類に応じて第１の測光領域にて得られる前記測光結果を補正する構成とする。【選択図】図２
2006317519.tif 000002
【特許請求の範囲】
【請求項１】
当該カメラに装着されたピント板での拡散光を測光する測光手段を有し、前記拡散光の測光結果に基づいて露出制御を行うカメラにおいて、
前記測光手段は、前記拡散光を測光するための第１の測光領域と、前記ピント板の種類を判別するための第２の測光領域とを有し、
前記第２の測光領域にて得られる前記ピント板の種類に応じて前記第１の測光領域にて得られる前記測光結果を補正することを特徴とするカメラ。
【請求項２】
前記第１の測光領域は、前記測光手段の所定の視野内に設けられ、前記第２の測光領域は、前記第１の測光領域の近傍の前記所定の視野外に設けられることを特徴とする請求項１に記載のカメラ。
【請求項３】
請求項１または請求項２に記載のカメラに装着可能なピント板であって、
前記測光手段の前記第１の測光領域に対応した位置に第１の領域を有し、前記第２の測光領域に対応した位置に第２の領域を有し、
前記第２の領域には、当該ピント板の種類に応じて異なる測光信号を形成するマーカー手段を有することを特徴とするピント板。
【発明の詳細な説明】
【技術分野】
【０００１】
本発明は、複数のピント板を交換可能であるカメラおよび該カメラに装着されるピント板に関するものである。
【背景技術】
【０００２】
一眼レフカメラには、撮影条件や使用レンズ、または撮影者の好みに合わせて、ピント板（フォーカシングスクリーン）を交換可能なものがある。ピント板は、その種類によって、光の拡散特性が異なったものが存在する。そのため、ピント板の透過光を測光素子等の測光手段により測光し、その測光結果を基に露出制御を行って露出因子（シャッタ速度、絞り値等）を決定するカメラでは、ピント板に入射する光量が一定であっても、ピント板の種類によっては測光手段による測光結果（受光量）が異なるため、カメラの測光方式と、装着するピント板の種類に応じて、測光補正を必要とする場合がある。
【０００３】
そこで従来では、この種の補正手段として、カメラのミラーボックス内のＬＥＤにより一定の光量（照射光）を照射し、集光レンズにより照射光束をピント板に対して一様に入射するように構成されたカメラが開示されている（特許文献１）。そして、ピント板を透過したＬＥＤからの拡散光を測光し、測光したピント板の拡散特性に応じて露出補正を行うようにしている。また、特許文献１では、ピント板に所定の形状（切欠部）を形成し、この切欠部の長さに基づいて露出の制御を行うものであり、ピント板がカメラに確実に装着されたとき、切欠部の長さにしたがって移動部材の抵抗体接点に対する位置が決定する。すなわち、接点等を使用した抵抗値読み取り装置で得られる抵抗値から、装着されたピント板に対応する抵抗値を読み取り、測光値の補正を行う構成となっている。
【特許文献１】特開平０６−５１３６７号公報
【発明の開示】
【発明が解決しようとする課題】
【０００４】
しかしながら、上記特許文献１に開示のカメラにおいては、前述したように、ＬＥＤにより一定の光量（照射光）を照射し、集光レンズにより照射光束をピント板に対して一様に入射するようにし、ピント板を透過したＬＥＤからの拡散光を測光してその結果に基づいて測光値の補正を行う構成であったため、ＬＥＤの輝度のバラツキにより正確なピント板の拡散特性を検出することは難しく、検出結果に誤差が生じ、これにより適正な測光値補正が得られないことがある。
【０００５】
また、ピント板に所定の形状（切欠部）を形成し、この切欠部の長さに基づいて露出の制御を行う構成であるため、接点等の機械的検出部材が必要となり、カメラ自体が大型化するばかりでなく、コストが増加してしまう欠点を有している。
【０００６】
更に近年では、カメラの生産台数の増加に伴い、ピント板の生産個数も増加となり、一度に複数個（４個取り／８個取り）のピント板を成形するシステムをとっている。この場合、型加工時の出来、ピント板射出成形時の材料の流れ具合、諸条件等により、同じ成形条件にもかかわらず型（ＣＡＶ）番号によって測光特性に差が生じてしまう。これにより、同種類のピント板にもかかわらず複数の露出補正値が必要となっていた。
【０００７】
（発明の目的）
本発明の第１の目的は、大型化することなく、装着されるピント板に対応した、常に適正な露出を得ることができるカメラを提供しようとするものである。
【０００８】
本発明の第２の目的は、常に適正な露出をカメラ側で得ることを可能にするピント板を提供しようとするものである。
【課題を解決するための手段】
【０００９】
上記第１の目的を達成するために、請求項１および２に記載の発明は、当該カメラに装着されたピント板での拡散光を測光する測光手段を有し、前記拡散光の測光結果に基づいて露出制御を行うカメラにおいて、前記測光手段が、前記拡散光を測光するための第１の測光領域と、前記ピント板の種類を判別するための第２の測光領域とを有し、前記第２の測光領域にて得られる前記ピント板の種類に応じて前記第１の測光領域にて得られる前記測光結果を補正するカメラとするものである。
【００１０】
上記第２の目的を達成するために、請求項３に記載の発明は、請求項１または請求項２に記載のカメラに装着可能なピント板であって、前記測光手段の前記第１の測光領域に対応した位置に第１の領域を有し、前記第２の測光領域に対応した位置に第２の領域を有し、前記第２の領域には、当該ピント板の種類に応じて異なる測光信号を形成するマーカー手段を有するピント板とするものである。
【発明の効果】
【００１１】
本発明によれば、常に適正な露出を得ることができるカメラまたはピント板を提供できるものである。
【発明を実施するための最良の形態】
【００１２】
本発明を実施するための最良の形態は、以下の実施例１及び実施例２に示す通りである。
【実施例１】
【００１３】
図１は本発明の実施例１に係わる一眼レフカメラの中央断面図であり、以下構成について説明する。図１のカメラ１に対して着脱可能な交換レンズ２は、カメラ１のマウント部５と不図示のレンズマウント部によって固定され、カメラ１の接点部と交換レンズ２の接点部が接触することによって電気的な接続がなされ、この接点部を介してカメラ１から交換レンズ２への電力の供給やレンズを制御するための通信が行われる。
【００１４】
交換レンズ２に含まれる撮影レンズ３を透過した光束は、カメラ１のメインミラー６に入射する。メインミラー６はハーフミラーとなっており、ここで反射された光束はファインダへと導かれ、一方、透過した光束はサブミラー７にて下方へ反射され、焦点検出装置８へと導かれる。焦点検出装置８は撮影レンズ３のデフォーカス量を検出し、撮影レンズ３が合焦状態となるように該撮影レンズ３を駆動するレンズ駆動量を演算し、レンズ駆動量を接点部を介して交換レンズ２へ送出する。交換レンズ２側では、これに応答して不図示のモータを制御して撮影レンズ３を駆動して焦点調節を行う。
【００１５】
４は絞りであり、絞り径を変化させることで光量をコントロールするものである
メインミラー６によってファインダへと導かれた光束はピント板９に被写体像として結像され、撮影者がペンタプリズム１０および接眼レンズ１１を介してこのピント板９上の被写体像を観察できるように構成されている。ピント板９は不図示のピント板ホルダーに支持されており、適宜着脱交換が可能に構成されている。
【００１６】
ペンタプリズム１０の後部上方に配置された測光レンズ１２は、ピント板９上の被写体像を二次光源として、その像を測光センサ（受光素子）１３に縮小投映する。測光レンズ１２および測光センサ（受光素子）１３が、公知の露光用受光手段を成す。
【００１７】
ペンタプリズム１０の前部下方にＬＥＤ１８が配置されている。このＬＥＤ１８は一定の光量の照射光を照射可能なものであり、カメラ１上部に配置されたスイッチ（ＬＥＤ／ＳＷ）２０がオンされた場合、該ＬＥＤ１８からの前記照射光束がその前部に設けられた集光レンズ１９により集光され、その集光された照射光束がピント板９に対して一様に入射するように構成されている。なお、ＬＥＤ１８および集光レンズ１９は、不図示のミラーボックス内部に固定支持されている。
【００１８】
サブミラー７の後方にはシャッタ１４が配置され、このシャッタ１４の後方には光学ローパスフィルタおよび赤外線カットフィルタを一体化した光学フィルタ１５が配置されている。そして、撮影時には該光学フィルタ１５を透過した光束が更に後方に配置された撮像素子１６へと入射する。
【００１９】
１７は画像表示モニターであり、撮影された画像及び撮影メニュー等を表示するように構成されている。
【００２０】
以上が本実施例１に係わる一眼レフカメラの主な構成要素である。
【００２１】
図２は実施例１に係わるピント板９と測光センサ（受光素子）１３との光学的な位置関係を示した図であり、図３は実施例１の一眼レフカメラの制御系を示すブロック図である。また、図４〜図６は実施例１のピント板９のマーカーエリア部９ｃと測光センサ１３のマーカーエリア部検出エリア１３ｂの関係を示した図である。
【００２２】
図２（ａ）において、９はピント板であり、９ａは撮影者が視認可能なファインダ視野領域であり、９ｂは測距点（もしくは焦点検出点）に対応した測距枠（もしくは焦点検出枠）であり、９ｃはファインダ視野領域９ａ近傍に形成されたマーカーエリア部である。このマーカーエリア部９ｃはピント板９の種類（型番（ＣＡＶ）を含む）毎に成形時に複数の所定部位の中の一つに貫通穴が形成されている。
【００２３】
図２（ｂ）において、１３は測光センサであり、１３ａは被写体輝度を測光する周知の例えば３５分割測光エリアである。１３ｂは測光エリア１３ａの近傍に位置し、前述したピント板９のマーカーエリア部９ｃと光学的に合致した、マーカーエリア部検出エリアである。
【００２４】
図２（ｃ）において、９，１３は前述したピント板９と測光センサ１３が光学的に合致した図であり、９ｃ，１３ｂは同様にピント板９のマーカーエリア部９ｃとマーカーエリア部検出エリア１３ｂが光学的に合致した位置関係を表した図である。
【００２５】
図３においては、カメラ１のメインスイッチ１０１がオン状態にあるときに、カメラ１の上部に配置されたスイッチ（ＬＥＤ／ＳＷ）１０２（図１中のスイッチ２０に相当）がオンされた場合、ＬＥＤ１０３（図１のＬＥＤ１８に相当）が点灯（オン）する。そして、測光装置１０４の測光センサ１３が、ピント板９を透過したＬＥＤ１０３からの透過光を測光する。この場合、図２のピント板９のファインダ視野領域９ａを透過した透過光は使用せず、マーカーエリア部９ｃの貫通穴を透過した透過光を、同図のマーカーエリア部検出エリア１３ｂで測光する。
【００２６】
この測光結果が、マイコン（ＣＰＵ）１００を介して測光値検出回路１０５から測光補正値処理回路１０６に出力され、ここで前記検出結果に基づいて複数ある測光補正値の中から演算により何れかの測光補正値が求められ、この演算により求められた測光補正値が測光補正値記憶回路１０７にメモリされる。
【００２７】
その後は通常の撮影可能状態となり、メモリされた測光補正値により露出因子（シャッタ速度、絞り値等）が決定される。なお、測光補正値記憶回路１０７にメモリされた測光補正値は、ピント板９が新たに入れ換えられた場合、スイッチ（ＬＥＤ／ＳＷ）１０２の操作が行われることに応じて更新される。スイッチ（ＬＥＤ／ＳＷ）１０２が操作されない限り、測光補正値記憶回路１０７内部に保持されている。
【００２８】
次に、図４を用いて、本実施例１におけるピント板９の種類判別について、三つのパターンについて詳細に説明する。
【００２９】
図４の（ａ）、（ｂ）及び（ｃ）において、マーカーエリア部９ｃには複数の貫通穴を形成可能な領域（ここでは（１）〜（５）の５つの領域）があり、同図においては領域（１）がピント板成形時に貫通穴として形成されている。他の領域（２）〜（５）は非貫通である。
【００３０】
図４（ｂ）において、このピント板９がカメラ１に組み込まれた場合、スイッチ（ＬＥＤ／ＳＷ）１０２がオンされると、ＬＥＤ１８が点灯し、その照射光束がその前部に設けられた集光レンズ１９により集光され、その集光された照射光束がピント板９に対して一様に入射するが、マーカーエリア部９ｃの領域（１）にしか貫通穴が形成されていないため、領域（１）を透過した透過光のみが測光センサ１３の光学的に合致したマーカーエリア部検出エリア１３ｂで測光される。すると、図４（ｃ）のようにマーカーエリア部検出エリア１３ｂの領域（１）のみの測光出力値が高くなる。この測光結果が、マイコン（ＣＰＵ）１００を介して、測光値検出回路１０５から測光補正値処理回路１０６に出力され、この出力結果に基づいて複数ある測光補正値の中から、挿入されたピント板９の種類に合った測光補正値が演算により求められ、この演算により求められた測光補正値が測光補正値記憶回路１０７にメモリされる。
【００３１】
上記と同様に、図５の（ｄ）、（ｅ）及び（ｆ）においては、マーカーエリア部９ｃには複数の貫通穴を形成可能な領域（ここでは（１）〜（５）の５つの領域）があり、同図においては、領域（３）がピント板成形時に貫通穴として形成されている。他の領域（１）、（２）及び（４）、（５）は非貫通である。
【００３２】
図５（ｅ）において、このピント板９がカメラ１に組み込まれた場合、スイッチ（ＬＥＤ／ＳＷ）１０２がオンされると、ＬＥＤ１８が点灯し、その照射光束がその前部に設けられた集光レンズ１９により集光され、その集光された照射光束がピント板９に対して一様に入射するが、マーカーエリア部９ｃの領域（３）にしか貫通穴が形成されていないため、領域（３）を透過した透過光のみが測光センサ１３の光学的に合致したマーカーエリア部検出エリア１３ｂで測光される。すると、図５（ｆ）のようにマーカーエリア部検出エリア１３ｂの領域（３）のみの測光出力値が高くなる。この測光結果が、マイコン（ＣＰＵ）１００を介して、測光値検出回路１０５から測光補正値処理回路１０６に出力され、この出力結果に基づいて複数ある測光補正値の中から、挿入されたピント板９の種類に合った測光補正値が演算により求められ、この演算により求められた測光補正値が測光補正値記憶回路１０７にメモリされる。
【００３３】
上記と同様に、図６の（ｇ）、（ｈ）及び（ｉ）においては、マーカーエリア部９ｃには複数の貫通穴を形成可能な領域（ここでは（１）〜（５）の５つの領域）があり、同図においては領域（５）がピント板成形時に貫通穴として形成されている。他の領域（１）〜（４）は非貫通である。
【００３４】
図６（ｈ）において、このピント板９がカメラ１に組み込まれた場合、スイッチ（ＬＥＤ／ＳＷ）１０２がオンされると、ＬＥＤ１８が点灯し、その照射光束がその前部に設けられた集光レンズ１９により集光され、その集光された照射光束がピント板９に対して一様に入射するが、マーカーエリア部９ｃの領域（５）にしか貫通穴が形成されていないため、領域（５）を透過した透過光のみが測光センサ１３の光学的に合致したマーカーエリア部検出エリア１３ｂで測光される。すると、図６（ｉ）のようにマーカーエリア部検出エリア１３ｂの領域（５）のみの測光出力値が高くなる。この測光結果が、マイコン（ＣＰＵ）１００を介して、測光値検出回路１０５から測光補正値処理回路１０６に出力され、この出力結果に基づいて複数ある測光補正値の中から、挿入されたピント板９の種類に合った測光補正値が演算により求められ、この演算により求められた測光補正値が測光補正値記憶回路１０７にメモリされる。
【００３５】
上記実施例１の構成により、複数あるピント板のうちのどの種類のピント板がカメラ１に挿入されても、該ピント板に形成されている貫通穴の位置（もしくは貫通穴の大きさでも良い）から透過する透過光をマーカーエリア部検出エリア１３ｂで受光して、拡散特性が異なるピント板の種類を判別することができるので、そのピント板にあった適正な測光補正値を確実に得ることができる。
【００３６】
さらには、既存の測光センサを使用してピント板のマーカーエリア部を検出し、露出補正値を決定することで、従来の接点等の機械的検出部材が不必要となり、カメラの大型化を阻止でき、コストもかからず、安いカメラとすることができる。
【００３７】
なお、実施例１においては、ピント板マーカーエリア部９ｃには５つの貫通穴を形成可能な領域がある例を示したが、ピント板の種類（型番（ＣＡＶ）を含む）数により貫通穴の数は任意に変更可能である。
【実施例２】
【００３８】
次に、図７を用いて、本発明の実施例２について、三つのパターンについて詳細に説明する。なお、カメラの構成は上記実施例１に示した図１〜図３と同様であるので、その詳細は省略する。
【００３９】
図７の（ａ）、（ｂ）及び（ｃ）において、マーカーエリア部９ｃには複数の透過率の異なる領域（ここでは０％〜１００％の５つの領域）があり、同図において、領域（１）は透過率０％、領域（２）は透過率３０％、領域（３）は透過率５０％、領域（４）は透過率７０％、領域（５）は透過率１００％である。
【００４０】
図７（ｂ）において、このピント板９がカメラ１に組み込まれた場合、スイッチ（ＬＥＤ／ＳＷ）１０２がオンされると、ＬＥＤ１８が点灯し、その照射光束がその前部に設けられた集光レンズ１９により集光され、その集光された照射光束がピント板９に対して一様に入射するが、マーカーエリア部９ｃを透過する透過光は透過率が異なるため、測光センサ１３のマーカーエリア部検出エリア１３ｂに到達する透過光は、図７（ｃ）のように、透過率１００％の領域（５）⇒透過率７０％の領域（４）⇒透過率５０％の領域（３）⇒透過率３０％の領域（２）⇒透過率０％の領域の順に暗くなり、マーカーエリア部検出エリア１３ｂで受光される測光出力値も同様の順で低くなる。この測光出力値の受光検出パターン結果が、マイコン（ＣＰＵ）１００を介して、測光値検出回路１０５から測光補正値処理回路１０６に出力され、この出力結果に基づいて複数ある測光補正値の中から、挿入されたピント板９の種類に合った測光補正値が演算により求められ、この演算により求められた測光補正値が測光補正値記憶回路１０７にメモリされる。
【００４１】
上記と同様に、図８（ｄ）、（ｅ）及び（ｆ）においては、マーカーエリア部９ｃには複数の透過率の異なる領域（ここでは０％〜１００％の５つの領域）があり、同図において、領域（１）は透過率０％、領域（２）は透過率５０％、領域（３）は透過率１００％、領域（４）は透過率７０％、領域（５）は透過率３０％である。
【００４２】
図８（ｅ）において、このピント板９がカメラ１に組み込まれた場合、スイッチ（ＬＥＤ／ＳＷ）１０２がオンされると、ＬＥＤ１８が点灯し、その照射光束がその前部に設けられた集光レンズ１９により集光され、その集光された照射光束がピント板９に対して一様に入射するが、マーカーエリア部９ｃを透過する透過光は透過率が異なるため、測光センサ１３のマーカーエリア部検出エリア１３ｂに到達する透過光は、図８（ｆ）のように、透過率１００％の領域（３）⇒透過率７０％の領域（４）⇒透過率５０％の領域（２）⇒透過率３０％の領域（５）⇒透過率０％の領域（１）の順に暗くなり、マーカーエリア部検出エリア１３ｂで受光する測光出力値も同様の順で低くなる。この測光出力値の受光検出パターン結果が、マイコン（ＣＰＵ）１００を介して、測光値検出回路１０５から測光補正値処理回路１０６に出力され、この出力結果に基づいて複数ある測光補正値の中から、挿入されたピント板９の種類に合った測光補正値が演算により求められ、この演算により求められた測光補正値が測光補正値記憶回路１０７にメモリされる。
【００４３】
上記と同様に、図９（ｇ）、（ｈ）及び（ｉ）においては、マーカーエリア部９ｃには複数の透過率の異なる領域（ここでは０％〜１００％の５つの領域）があり、同図において、領域（１）は透過率１００％、領域（２）は透過率７０％、領域（３）は透過率５０％、領域（４）は透過率３０％、領域（５）は透過率０％である。
【００４４】
図９（ｈ）において、このピント板９がカメラ１に組み込まれた場合、スイッチ（ＬＥＤ／ＳＷ）１０２がオンされると、ＬＥＤ１８が点灯し、その照射光束がその前部に設けられた集光レンズ１９により集光され、その集光された照射光束がピント板９に対して一様に入射するが、マーカーエリア部９ｃを透過する透過光は透過率が異なるため、測光センサ１３のマーカーエリア部検出エリア１３ｂに到達する透過光は、図９（ｉ）のように、透過率１００％の領域（１）⇒透過率７０％の領域（２）⇒透過率５０％の領域（３）⇒透過率３０％の領域（４）⇒透過率０％の領域（５）の順に暗くなり、この測光出力値の受光検出パターン結果が、マイコン（ＣＰＵ）１００を介して、測光値検出回路１０５から測光補正値処理回路１０６に出力され、この出力結果に基づいて複数ある測光補正値の中から、挿入されたピント板９の種類に合った測光補正値が演算により求められ、この演算により求められた測光補正値が測光補正値記憶回路１０７にメモリされる。
【００４５】
上記の実施例２の構成により、複数あるピント板のうちのどの種類のピント板がカメラ１に挿入されても、マーカーエリア部検出エリア１３ｂで受光する測光出力値の受光パターンを検出して、拡散特性の異なるピント板の種類を判別できるようにしているので、そのピント板にあった適正な測光補正値を確実に得ることができる。
【００４６】
さらには、既存の測光センサを使用してピント板のマーカーエリア部を検出し、露出補正値を決定することで、従来の接点等の機械的検出部材が不必要となり、カメラの大型化を阻止でき、コストもかからず、安いカメラとすることができる。
【００４７】
なお、上記実施例２においては、マーカーエリア部９ｃに５つの透過率の異なる領域がある例を示したが、ピント板の種類（型番（ＣＡＶ）を含む）数により透過率の領域の数は任意に変更可能である。
【００４８】
また、上記実施例１及び実施例２では、カメラ内部にＬＥＤを組み込みんだ例を示したが、レンズ前面から均一輝度面を持つ光源を使用したり、通常光（太陽光）を利用したりして、その測光出力値の検出を行う構成にすることも可能であり、これにより、ＬＥＤ１８および集光レンズ１９及びスイッチ（ＬＥＤ／ＳＷ）２０を廃止することが出来、更なるコストダウン効果を得ることが出来る。
【図面の簡単な説明】
【００４９】
【図１】本発明の実施例１に係わる一眼レフカメラを示す縦断面図である。
【図２】本実施例１においてピント板と測光センサとの光学的な位置関係を示した図である。
【図３】本実施例１におけるカメラの制御系の回路構成を示すブロック図である。
【図４】本実施例１におけるピント板のマーカーエリア部と測光センサのマーカーエリア部検出エリアの関係を示した図である。
【図５】本実施例１におけるピント板のマーカーエリア部と測光センサのマーカーエリア部検出エリアの関係を示した図である。
【図６】本実施例１におけるピント板のマーカーエリア部と測光センサのマーカーエリア部検出エリアの関係を示した図である。
【図７】本発明の実施例２におけるピント板のマーカーエリア部と測光センサのマーカーエリア部検出エリアの関係を示した図である。
【図８】本発明の実施例２におけるピント板のマーカーエリア部と測光センサのマーカーエリア部検出エリアの関係を示した図である。
【図９】本発明の実施例２におけるピント板のマーカーエリア部と測光センサのマーカーエリア部検出エリアの関係を示した図である。
【符号の説明】
【００５０】
１      カメラ
２      交換レンズ
３      撮影レンズ
８      焦点検出装置
９      ピント板
９ａ    ファインダ視野領域（第１の領域）
９ｂ    測距枠
９ｃ    マーカーエリア部（第２の領域）
１０    ペンタプリズム
１１    接眼レンズ
１２    測光レンズ
１３    測光センサ
１３ａ  ３５分割測光エリア（第１の測光領域）
１３ｂ  マーカーエリア部検出エリア（第２の測光領域）
１６    撮像素子
１８    ＬＥＤ
１９    集光レンズ
１００  マイコン（ＣＰＵ）
１０３  ＬＥＤ
１０４  測光装置
１０５  測光値検出回路
１０６  測光補正値処理回路
１０７  メモリ
【図１】
2006317519.tif 000003
【図２】
2006317519.tif 000004
【図３】
2006317519.tif 000005
【図４】
2006317519.tif 000006
【図５】
2006317519.tif 000007
【図６】
2006317519.tif 000008
【図７】
2006317519.tif 000009
【図８】
2006317519.tif 000010
【図９】
2006317519.tif 000011